(57)【特許請求の範囲】
【請求項１】
デジタル化されたオーディオ信号とビデオ信号との同期をとるために、前記ビデオ信号の所定の期間に含まれるオーディオ信号のオーディオサンプル数を示す信号を前記所定の期間のビデオ信号及びオーディオ信号と共に記録した媒体を再生するときに、再生されたビデオ信号の基準クロックから生成した前記所定の期間を示す信号と、前記所定の期間に含まれるオーディオサンプル数を示す信号とを比較し、この比較結果に応じて前記再生されたビデオ信号又は再生されたオーディオ信号のクロック周波数を変化させることを特徴とするデジタルオーディオ信号とデジタルビデオ信号との同期方法であって、
前記オーディオサンプル数を示す信号は前記所定の期間において複数回挿入されており、これら複数回挿入されたオーディオサンプル数の各データの中から多数決により決定した値を選択し、
前記所定の期間に含まれるオーディオサンプル数を示す信号が一つも得られなかったときには、前記所定の期間の前の期間に含まれるオーディオ信号のオーディオサンプル数を示す信号で代用するか、或いは前記オーディオ信号のサンプリング周波数と前記ビデオ信号のフレーム周波数とから算出した値で代用することを特徴とするデジタルオーディオ信号とデジタルビデオ信号との同期方法。
【発明の詳細な説明】
【０００１】
【発明の属する技術分野】
本発明は、デジタルオーディオ信号とデジタルビデオ信号とを再生する装置におけるデジタルオーディオ信号とデジタルビデオ信号との同期方法に関する。
【０００２】
【従来の技術】
従来より、ビデオ信号及びオーディオ信号の記録をデジタル信号にて行うデジタルビデオテープレコーダ（以下デジタルＶＴＲという）が開発されている。図７はこのようなデジタルＶＴＲのテープ上の記録フォーマットを示す。同図において、トラックの両端にはマージンが設けられており、その内側には記録始端側から、アフレコを確実に行うためのＩＴＩエリア、オーディオ信号を記録するオーディオエリア、ビデオ信号を記録するビデオエリア、副次的データを記録するためのサブコードエリアが設けられる。なお、各エリアの間には、エリア確保のためのインターブロックギャップ（ＩＢＧ）が設けられる。このようなトラックを１０トラック分集めて１フレーム分の情報とし記録している（５２５／６０方式）。
【０００３】
次に、上記各エリアに記録される信号の詳細を説明する。
（１）ＩＴＩエリア
ＩＴＩエリアは図７の拡大部分に示されているように、１４００ビットのプリアンブル、１８３０ビットのＳＳＡ（Ｓｔａｒｔ−Ｓｙｎｃ  Ｂｌｏｃｋ  Ａｒｅａ）、９０ビットのＴＩＡ（Ｔｒａｃｋ  Ｉｎｆｏｒｍａｔｉｏｎ  Ａｒｅａ）及び２８０ビットのポストアンブルから構成されている。
【０００４】
ここで、プリアンブルは再生時のＰＬＬのランイン等の機能を持ち、ポストアンブルはマージンを稼ぐための役割を持つ。そして、ＳＳＡ及びＴＩＡは、３０ビットのブロックデータを単位として構成されており、各ブロックデータの先頭１０ビットには所定のＳＹＮＣパターン（ＩＴＩ−ＳＹＮＣ）が記録される。
【０００５】
このＳＹＮＣパターンに続く２０ビットの部分には、ＳＳＡにおいては主にＳＹＮＣブロック番号（０〜６０）が記録され、また、ＴＩＡにおいては主に３ビットのＡＰＴ情報（ＡＰＴ２〜ＡＰＴ０）、記録モードを識別するＳＰ／ＬＰフラグ及びサーボシステムの基準フレームを示すＰＦフラグが記録される。なお、ＡＰＴはトラック上のデータ構造を規定するＩＤデータであり、本従来例のデジタルＶＴＲでは値「０００」をとる。
【０００６】
以上の説明から、ＩＴＩエリアにはコード長の短いシンクブロックが磁気テープ上の固定された位置に多数記録されているので、再生データから例えばＳＳＡの６１番目のＳＹＮＣパターンが検出された位置をトラック上のアフレコ位置を規定する基準として使用することにより、アフレコ時に書き換えられる位置を高精度に規定し、良好なアフレコを行うことができる。
【０００７】
（２）オーディオエリア
オーディオエリアは、図７の拡大部分に示されるように、その前後にプリアンブルとポストアンブルを有しており、プリアンブルはＰＬＬ引き込み用のランアップ及びオーディオＳＹＮＣブロックの前検出のためのプリＳＹＮＣから構成されている。また、ポストアンブルは、オーディオエリアの終了を確認するためのポストＳＹＮＣと、ビデオデータアフレコ時にオーディオエリアを保護するためのガードエリアとから構成されている。
【０００８】
アンブルエリアに挟まれたエリアに記録されるオーディオデータは次のようにして生成される。まず、記録すべき１トラック分の音声信号は、Ａ／Ｄ変換及びシャフリングを施された後、フレーミングが行われ、さらにパリティを付加される。このフレーミングを行ってパリティを付加したフォーマットを図８に示す。同図において、７２バイトのオーディオデータの先頭に５バイトの音声付随データ（以下「ＡＡＵＸデータ」という）を付加して１ブロック７７バイトのデータを形成し、これを垂直に９ブロック積み重ねてフレーミングを行い、これに８ビットの水平パリティＣ１とブロック５個分に相当する垂直パリティＣ２とが付加される。このようにして得られた９０×（９＋５）×８＝１００８０ビットの信号に２４−２５変換を施して得た１００８０×（２５／２４）＝１０５００ビットのデジタル信号が、図７に示す１トラックの中のオーディオ区間に記録される。
【０００９】
（３）ビデオエリア
ビデオエリアは図７の拡大部分に示されるようにオーディオエリアと同様のプリアンブル及びポストアンブルを持つ。ただし、ガードエリアがより長く形成されている点でオーディオエリアのものと異なっている。プリアンブルとポストアンブルに挟まれてビデオデータが形成されている。
【００１０】
（４）サブコードエリア
サブコードエリアは、主に高速サーチ用の情報を記録するために設けられたエリアであり、その前後をプリアンブル及びポストアンブルに挟まれるように形成されている。ただし、オーディオエリア及びビデオエリアのようにプリＳＹＮＣ及びポストＳＹＮＣは設けられていない。
なお、上述した、オーディオエリア、ビデオエリア、サブコードエリアを構成している各ＳＹＮＣブロックは、記録変調において２４／２５変換（記録信号の２４ビット毎のデータを２５ビットへ変換することにより、記録符号にトラッキング制御用パイロット周波数成分を付加するようにした記録変調方式）を施されるため、各エリアの記録データ量は図７に示されているようなビット数になる。
【００１１】
（５）パックの構造及び種類
上述したように、デジタルＶＴＲでは付随データを記録するエリアとして、テープ上のオーディオエリアのＡＡＵＸエリアなどが使用され、これらは５バイトの固定長をもつパックを単位として構成される。この５バイトについて、最初のバイト（ＰＣ０）がデータの内容を示すアイテムとされる。例えば図９の「ＡＡＵＸ  ＳＯＵＲＣＥ」「ＡＡＵＸ  ＳＯＵＲＣＥ  ＣＯＮＴＲＯＬ」等を表す。
【００１２】
「ＡＡＵＸ  ＳＯＵＲＣＥ」は音声に関する付随データの記録に使用される。すなわち、同図に示すように、オーディオサンプル周波数が映像信号とロックしているか否かを示すフラグ（ＬＦ）、１フレーム当たりのオーディオサンプル数（ＡＦ  ＳＩＺＥ）、オーディオチャンネル数（ＣＨ）、各オーディオチャンネルのステレオ／モノラル等のモードの情報（ＰＡ及びＡＵＤＩＯ  ＭＯＤＥ）、テレビジョン方式に関する情報（５０／６０及びＳＴＹＰＥ）、エンファシスの有無（ＥＦ）、エンファシスの時定数（ＴＣ）、サンプル周波数（ＳＭＰ）、量子化情報（ＱＵ）が記録される。
【００１３】
また、「ＡＡＵＸ  ＳＯＵＲＣＥ  ＣＯＮＴＲＯＬ」はＳＣＭＳデータ（上位ビットが著作権の有無を表し、下位ビットがオリジナルテープか否かを表す。）、コピーソースデータ（アナログ信号源か否かを表す）、コピー世代データ、サイファー（暗号）タイプデータ（ＣＰ）、サイファーデータ（ＣＩ）、記録開始フレームか否かを示すフラグ（ＲＥＣ  ＳＴ）、記録最終フレームか否かを示すフラグ（ＲＥＣ  ＥＮＤ）、オリジナル記録／アフレコ記録／インサート記録等の記録モードデータ（ＲＥＣ  ＭＯＤＥ）、方向を示すフラグ（ＤＲＦ）、再生スピードデータ及び記録内容のジャンルカテゴリーが記録される。
【００１４】
ところで、デジタルＶＴＲではビデオ信号と共にオーディオ信号も記録されるが、このとき５２５／６０方式のビデオ信号におけるフィールド周波数は５９．９４Ｈｚとされている。それに対して、オーディオ信号のサンプリング周波数は、４８ｋＨｚ，４４．１ｋＨｚなどとされている。従って、１ビデオフレームの周期とオーディオ信号のサンプリング周波数とが整数比の関係にならない。
【００１５】
そのため、オーディオ信号においては、整数個のサンプル数が入る組み合わせによって平均的ビデオフレームとオーディオ信号のサンプリング周波数との関係が規定のものとなるようにされている。例えば、オーディオ信号のサンプリング周波数が４８ｋＨｚの場合は、１ビデオフレームに対してオーディオ信号１６０１サンプル、１６０２サンプル及び１６００サンプルが入る組み合わせが用いられる。
【００１６】
オーディオ信号は１ビデオフレーム分のデータが記録される１０トラックに記録されるが、１ビデオフレーム毎に異なるサンプル数を有する場合がある。そのため、１ビデオフレーム中のオーディオ信号のサンプル数の情報が記録される必要があるが、これは「ＡＡＵＸ  ＳＯＵＲＣＥ」中の「ＡＦ  ＳＩＺＥ」に記録される。
【００１７】
そして、再生時にこの「ＡＦ  ＳＩＺＥ」が読み出され、例えばオーディオ再生回路における位相制御ループ（以下ＰＬＬという）の手掛かりとして用いられる。すなわち、オーディオ信号は、ビデオフレームに対して位相が合っていなければならないため、この「ＡＦ  ＳＩＺＥ」によって再生クロックの周波数を変える必要がある。
【００１８】
【発明が解決しようとする課題】
しかしながら、前述した従来例では、オーディオ信号のサンプル数を示す「ＡＦ  ＳＩＺＥ」の情報の取得に失敗したときや、正確な情報が得られなかったときにはオーディオ信号とビデオフレームの位相が合わなくなるという問題があった。
【００１９】
【課題を解決するための手段】
上述した課題を解決するために本願発明の請求項１に係る発明は、デジタル化されたオーディオ信号とビデオ信号との同期をとるために、前記ビデオ信号の所定の期間に含まれるオーディオ信号のオーディオサンプル数を示す信号を前記所定の期間のビデオ信号及びオーディオ信号と共に記録した媒体を再生するときに、再生されたビデオ信号の基準クロックから生成した前記所定の期間を示す信号と、前記所定の期間に含まれるオーディオサンプル数を示す信号とを比較し、この比較結果に応じて前記再生されたビデオ信号又は再生されたオーディオ信号のクロック周波数を変化させることを特徴とするデジタルオーディオ信号とデジタルビデオ信号との同期方法であって、前記オーディオサンプル数を示す信号は前記所定の期間において複数回挿入されており、これら複数回挿入されたオーディオサンプル数の各データの中から多数決により決定した値を選択し、前記所定の期間に含まれるオーディオサンプル数を示す信号が一つも得られなかったときには、前記所定の期間の前の期間に含まれるオーディオ信号のオーディオサンプル数を示す信号で代用するか、或いは前記オーディオ信号のサンプリング周波数と前記ビデオ信号のフレーム周波数とから算出した値で代用することを特徴とするデジタルオーディオ信号とデジタルビデオ信号との同期方法を提供する。
【００２０】
【発明の実施の形態】
以下、本発明に係るデジタルオーディオ信号とデジタルビデオ信号との同期方法の第１実施例について、図面を参照しながら説明する。
デジタルＶＴＲの信号再生系は、例えば図１に示すような構成となっている。同図において、図示しない磁気テープから磁気ヘッド１によって得られた再生信号は、プリアンプ２によって増幅された後、イコライザ３に供給される。そして、イコライザ３によってイコライズ処理が行われた信号は、更にデジタル信号検出回路４に供給され、ここで論理値である「１」，「０」に対応するデジタル信号が得られる。このデジタル信号はデジタル信号処理回路５に供給され、ＡＦ  ＳＩＺＥ抽出／解析手段６によって「ＡＦ  ＳＩＺＥ」の抽出及び解析がなされる。
【００２１】
ＡＦ  ＳＩＺＥ抽出／解析手段６では「ＡＡＵＸ  ＳＯＵＲＣＥ」中の「ＡＦＳＩＺＥ」を抽出し、データを解析して１フレーム中のオーディオ信号のサンプル数（以下オーディオサンプル数という）を得る。得られたオーディオサンプル数のデータをメモリ７及び第１のラッチ回路８に保存する。なお、メモリ７には過去の複数フレームに渡って「ＡＦ  ＳＩＺＥ」中のオーディオサンプル数のデータを保存し、このデータが得られなかったときに備える。一方、第１のラッチ回路８には現在フレームのオーディオサンプル数のデータを保存する。
【００２２】
スイッチ１９は通常ｂ側にあるが、現在フレームのオーディオサンプル数のデータが得られなかったとき、又は、現在フレームのオーディオサンプル数のデータが取得できてもエラーがあったときにはａ側に切り替えられる。
【００２３】
次に、演算回路９による処理工程の例をいくつか説明する。演算回路９では当該オーディオサンプル数のデータが得られなかったとき、又は、当該オーディオサンプル数のデータが取得できてもエラーがあったときに、このデータの代用値を決定する。具体的には、
・メモリ７に保存された過去の一定期間に及ぶ複数のオーディオサンプル数のデータの平均値を求め、それを代用値とする。
【００２４】
・メモリ７に保存された過去の一定期間に及ぶ複数のオーディオサンプル数のデータの中から、エラーのある値のデータ、及び所定の値を超える値のデータを除いた残りのデータの平均値を求め、それを代用値とする。
【００２５】
・メモリ７に保存された過去の一定期間に及ぶ複数のオーディオサンプル数のデータの中から、最も多い同じ値のデータを求める。この場合、最も多い同じ値のデータが同数であるときには、時間的に後ろのデータを採用するか、プリセット値のデータに近い値を採用するなどの方法で代用値を求める。
【００２６】
・過去の一定期間に及ぶ複数のオーディオサンプル数のデータパターンと予め設定された複数のデータパターンとを比較し、過去のデータパターンが予め設定された複数のパターンのどのパターンに該当するかを調べることよって予測される代用値を求める。
などの演算処理が考えられる。
【００２７】
一方、映像信号クロック発生器１０から出力される映像信号クロックから分周器１１によって１フレームの周期パルス（フレームパルス）を作成する。
カウンタ１３では、オーディオ信号クロック用のＶＣＯ１６からのＶＣＯ出力をカウントし、また、分周器１１から出力されたフレームパルスのエッジによって、それまでの１フレーム分のカウント値を第２のラッチ回路１２に保存する。そして、カウンタ１３をリセットする。
【００２８】
次に、比較回路１４によって、スイッチ１９がａ側にあるときには、第２のラッチ回路１２に保存された内容と演算回路９によって求められた代用値とを比較し、スイッチ１９がｂ側にあるときには、第２のラッチ回路１２に保存された内容と第１のラッチ回路８に保存された内容を比較する。例えば、この比較を１フレームに１回、フレームパルスのエッジが入来した直後に行うようにする。
【００２９】
ＤＣレベル調整回路１５ではＤＣデータとして電源投入時にはプリセット値を使用し、図示しないＤ／Ａ変換器を介して直流レベルに変換し、ＶＣＯ１６の制御電圧として印加される。
次に、図２に示すように、比較回路１４による比較結果に応じてカウンタ１３のカウント値がオーディオサンプル数のデータによって望まれる値よりも大きいときには、ＶＣＯ１６の出力周波数を下げる方向に制御電圧を変化させるべく、ＤＣレベル調整回路１５内のメモリ２０に保存されているＤＣデータを第３のラッチ回路２１によって変更する。また、比較回路１４による比較結果に応じてカウンタ１３のカウント値がオーディオサンプル数のデータによって望まれる値よりも小さいときには、ＶＣＯ１６の出力周波数を上げる方向に制御電圧を変化させるべく、ＤＣレベル調整回路１５内のメモリ２０に保存されているＤＣデータを第３のラッチ回路２１によって変更する。
【００３０】
具体的には、第１のラッチ回路８の内容が第２のラッチ回路１２の内容よりも小さいときにはＤＣレベル調整回路１５へ負の値を入力し、第１のラッチ回路８の内容が第２のラッチ回路１２の内容よりも大きいときにはＤＣレベル調整回路１５へ正の値を入力する。入力された正の値又は負の値は加算回路２２に入力され第３のラッチ回路２１に保存された内容に加算される。そして、再度第３のラッチ回路２１に保存されメモリ２０を介してＤ／Ａ変換された後ＤＣ出力として出力される。
【００３１】
また、デジタル処理回路５によってデジタル処理されたデジタルビデオ信号は映像信号クロック発生器１０からの映像信号クロックを使用してビデオＤ／Ａ変換回路１７によりＤ／Ａ変換され、デジタルオーディオ信号はＶＣＯ１６からのオーディオ信号クロックを使用してオーディオＤ／Ａ変換器１８によりＤ／Ａ変換される。そして、通常のビデオ信号及びオーディオ信号として出力される。
【００３２】
次に本発明の第２実施例について図３を用いて説明する。同図によれば、ＡＦＳＩＺＥ抽出／解析回路６によって得られた１フレーム中のオーディオサンプル数のデータは各フレーム毎にメモリ７内の第１の領域からｎ番目の領域に順次保存される。なお、ｎ番目の領域へ保存された後のフレームについては、再び第１の領域に戻って前のデータを書き換えることにより保存される。
【００３３】
記録再生などのエラーにより１フレーム期間中に一度もオーディオサンプル数のデータが得られなかったときには、メモリ７のオーディオサンプル数のデータが保存されるべきメモリ領域に対応し、その領域内の所定のアドレスに位置づけられた欠落マーカーを「１」とする（正常のときには欠落マーカーは「０」となる）。これにより、欠落マーカーを「１」としたフレームのオーディオサンプル数のデータは欠落していると示すことができる。
【００３４】
現在のフレームのオーディオサンプル数のデータをＸｋとし、一つ前のフレームのオーディオサンプル数のデータをＸｋ−１、一つ後のフレームのオーディオサンプル数のデータをＸｋ＋１とする。そして、データＸｋが欠落したとき、メモリ７に保存された前後のデータを使用して演算処理回路９による演算処理を行って得た結果をＸｋのデータの代用値として比較回路１４の一方の入力とすれば良い。
【００３６】
また、二つ前のフレームのオーディオサンプル数のデータをＸｋ−２、二つ後のフレームのオーディオサンプル数のデータをＸｋ＋２として、上述した演算処理と併せて当該フレームの一つ前及び一つ後のフレームのオーディオサンプル数のデータを、二つ前及び二つ後のフレームのオーディオサンプル数のデータよりも重要視し、重み付けを加えて演算を行い、Ｘｋのデータの代用値としても良い。
【００３９】
更に、現在のフレームのオーディオサンプル数のデータＸｋが欠落したときに、過去のデータのみを使用して、二つ前のオーディオサンプル数のデータＸｋ−２から一つ前のフレームのオーディオサンプル数のデータＸｋ−１への変化量を計算し、Ｘｋ−１に加算する演算を行うことによりＸｋの値を予測しても良い。
【００４２】
次に、近接したフレームに複数のエラーが生じた場合の処理方法について説明する。現在のフレームと、その前後２フレームとを合わせて合計５フレームを考える。これらの５フレームのうち、現在のフレームのオーディオサンプル数のデータＸｋのみが欠落したときには、当該フレームの一つ前及び一つ後のフレームのオーディオサンプル数のデータを、二つ前及び二つ後のフレームのオーディオサンプル数のデータよりも重要視し、重み付けを加えて演算を行った演算処理によって得た値をＸｋのデータの代用値とする。
【００４３】
また、Ｘｋに加えて二つ後のフレームのオーディオサンプル数のデータＸｋ＋２も欠落したときには、Ｘｋの値をＸｋ−１，Ｘｋ＋１のデータを使用して演算する。
【００４４】
更に、Ｘｋに加えて一つ後のフレームのオーディオサンプル数のデータＸｋ＋１も欠落したときには、一つ前のフレームのオーディオサンプル数のデータＸＫ−１と二つ後のフレームのオーディオサンプル数のデータＸＫ＋２を使用して演算を行うことによって、Ｘｋ及びＸｋ＋１のデータの代用値を得る。つまり、連続したフレームに渡ってデータが欠落したときにはその前後のデータを使用して演算を行うというものである。
【００４７】
また、Ｘｋに加えてＸｋ＋１，Ｘｋ＋２も欠落したときには次の二つの方法が考えられる。
・Ｘｋ−２，Ｘｋ−１，Ｘｋ，Ｘｋ＋１，Ｘｋ＋２と、同じオーディオサンプル数のデータが続いていると見なして、Ｘｋ−１のデータをＸｋ，Ｘｋ＋１，Ｘｋ＋２の代用値として使用する。
・標準的な値、例えばオーディオのサンプル周波数が４８ｋＨｚでフレーム周波数が３０Ｈｚのときには４８ｋ／３０＝１６００の値をＸｋ，Ｘｋ＋１，Ｘｋ＋２の代用値として使用する。
【００４８】
この様にして代用値を提供された複数のオーディオサンプル数のデータは、メモリ７内の対応する領域に保存され、同時に欠落マーカーは欠落のないことを示す「０」に書き換えられる。
なお、テープの再生が行われていないときに、メモリ７内のオーディオサンプル数のデータを保存する領域には予めプリセット値或いは直前に再生されたテープのオーディオサンプル周波数に関する標準的な値が格納されており、そのときの欠落マーカーの状態は「０」となっている。
【００４９】
以上のような処理を行うことにより、あるフレームに「ＡＦ  ＳＩＺＥ」データの欠落があったとしても、オーディオサンプル数のデータの値が代用値によって補完されるので、以降のフレームにおける新たな代用値の決定において、当該代用値によって補完されたデータを使用することが可能となる。つまり、前のフレームのデータの欠落は既に補完されているので、以降の処理において欠落となることはない。従って、図４に示すように当該フレームの前後２フレームを合わせて合計５フレームで考えるときには４通りの組み合わせを考えれば良いということになる。
【００５０】
図５及び図６は本発明の第１実施例及び第２実施例におけるデジタルＶＴＲの信号再生系において、演算の場所を変更した変形例を示す図である。図５では、第２のラッチ回路１２の内容とＡＦ  ＳＩＺＥ抽出／解析回路の内容を先に比較し、その結果をメモリ７へ保存しデータの欠落のあったときには演算回路９による演算処理を行っている。
また、図６では、ＤＣレベル調整回路１５内にメモリ７と演算回路９、スイッチ１９とを設けて処理を行っている。
【００５１】
また、上述した各実施例において、オーディオサンプル数のデータは各フレームについて１回記録されているものとして説明したが、１フレームに複数回記録しても良く。この場合には、再生時において１フレーム期間に得られるオーディオサンプル数のデータの情報をメモリ内の複数の領域に保存し、各データの中から多数決などによって確からしい値を選択する。
【００５２】
【発明の効果】
前述したように、本発明に係るデジタルオーディオ信号とデジタルビデオ信号との同期方法によれば、当該フレームの「ＡＦ  ＳＩＺＥ」中に存在するオーディオサンプリング数のデータをその前後のフレームのデータによって補完しているので、オーディオ信号のサンプル数を示す「ＡＦ  ＳＩＺＥ」の情報の取得に失敗したときや、正確な情報が得られなかったときでもオーディオ信号とビデオフレームとの位相を正確に合わせることができるという効果を奏する。
【図面の簡単な説明】
【図１】本発明の第１実施例に係るデジタルオーディオ信号とデジタルビデオ信号との同期方法を適用したデジタルＶＴＲの再生系を示す図である。
【図２】本発明を適用したデジタルＶＴＲのＤＣレベル調整回路の構成を示す図である。
【図３】本発明の第２実施例に係るデジタルオーディオ信号とデジタルビデオ信号との同期方法を適用したデジタルＶＴＲの再生系を示す図である。
【図４】５フレームのデータを使用した場合の欠落パターンを示す図である。
【図５】本発明に係るデジタルオーディオ信号とデジタルビデオ信号との同期方法を適用したデジタルＶＴＲの再生系の変形例を示す図である。
【図６】本発明に係るデジタルオーディオ信号とデジタルビデオ信号との同期方法を適用したデジタルＶＴＲの再生系の変形例を示す図である。
【図７】デジタルＶＴＲの１トラックの記録フォーマットを示す図である。
【図８】オーディオのフレームフォーマットの構造を示す図である。
【図９】ＡＡＵＸ  ＳＯＵＲＣＥパック、ＡＡＵＸ  ＳＯＵＲＣＥ  ＣＯＮＴＲＯＬパックを示す図である。
【符号の説明】
１    磁気ヘッド
２    プリアンプ
３    イコライザ
４    デジタル信号検出回路
５    デジタル信号処理回路
６    ＡＦ  ＳＩＺＥ抽出／解析回路
７    メモリ
８    第１のラッチ回路
９    演算回路
１０    映像信号クロック発生器
１１    分周器
１２    第２のラッチ回路
１３    カウンタ
１４    比較回路
１５    ＤＣレベル調整回路
１６    ＶＣＯ
１７    ビデオＤ／Ａ変換回路
１８    オーディオＤ／Ａ変換回路
１９    スイッチ
【図１】
0003555735.tif 000002
【図２】
0003555735.tif 000003
【図４】
0003555735.tif 000004
【図３】
0003555735.tif 000005
【図５】
0003555735.tif 000006
【図６】
0003555735.tif 000007
【図７】
0003555735.tif 000008
【図８】
0003555735.tif 000009
【図９】
0003555735.tif 000010